(57)【特許請求の範囲】
【請求項１】
基板及び該基板の前後又はその一方の端縁長手方向中間位置に該端縁から側方に向けてＬ字傾斜の翼板状に張出突出して上記基板の両側方に相互に直角をなすとともにその平行縁部を立上げて厚さを確保した嵌合用舌片を形成するように設置した傾斜Ｌ字状の嵌合突片を有する接合部材と，留め切り端部と該留め切り端部に開口して上記接合部材の嵌合用舌片の幅及び厚さに合せた長手方向全長に亘る装飾溝兼用の嵌合受溝を有する接合用一対の枠材と，該接合用一対の枠材同士を固定する固定金具とを備え，上記接合用一対の枠材の装飾溝兼用の嵌合受溝に上記接合部材における嵌合突片の各嵌合用舌片をそれぞれ嵌合するとともにこれら接合用一対の枠材における留め切り端部間に該接合部材の基板を傾斜介装し，該接合部材の設置状態で一方の枠材から上記基板を貫通して他方の枠材に至る固定金具によってこれら一対の枠材を固定して留め接合してなることを特徴とする枠材の留め接合装置。
【請求項２】
上記接合部材の基板が，その面内中間位置に上下方向に長孔とした固定金具貫通用の貫通孔を備えてなることを特徴とする請求項１に記載の枠材の留め接合部材。
【発明の詳細な説明】
【０００１】
【発明の属する技術分野】
本発明は，フェンス，門扉，トレリス（衝立て），室内建具，家具等々において，その外枠等の枠材を留め接合するに用いる枠材の留め接合装置に関する。
【０００２】
【従来の技術】
この種枠材の留め接合装置は，例えば木材等の中実の枠材にあっては，端部を留め切り（４５°の角度に切断すること）し，一対の枠材の留め切り端部を突合わせて，一方の枠材から他方の枠材に至る，釘，ネジ等の固定金具によって固定して接合するものとされ，またアルミ押出材等の中空の枠材にあっては，同じく端部を留め切りし，Ｌ字状をなす継手を各中空部に嵌合して，必要に応じて枠材と継手とを小ネジ等で固定して接合するものとされる。
【０００３】
【発明が解決しようとする課題】
しかし乍らこの場合，上記中実の枠材の接合は，固定金具の固定時に，留め切り端部同士が滑って一方が他方に対して位置ズレを生じる接合不良を招き易く，また上記継手を用いる接合は，簡易であるが，継手を受け入れる中空部を有する中空の枠材を接合する場合に限られ，これを上記中実の枠材に適用することはできない。
【０００４】
本発明はかかる事情に鑑みてなされたもので，その解決課題とするところは，中実及び中空のいずれの枠材の接合にも使用でき，接合に際して位置ズレを生じることのない良好な仕口を作業性よく，簡易且つ確実に得ることができる枠材の留め接合装置を提供するにある。
【０００５】
【課題を解決するための手段】
上記課題に添って本発明は，一対の枠材の留め接合に，接合部材（接合補助部材，又は接合位置決め部材といってもよい）を使用し，該接合部材によって，留め接合する一対の枠材の相対的位置関係を固定化し，該一対の枠材を留め接合の直角突き当て状態に保持して，この保持の位置決め状態で固定金具による固定を位置ズレなく簡易且つ確実になし得るようにし，そのために接合部材を，一対の枠材の留め切り端部間に傾斜介装する基板と，この基板の端縁に配設した，上記一対の枠材に対してその前後面又はその一方の面においてそれぞれ嵌合し，上記相対的位置関係を固定化する各枠材方向に向けて突出した一対の嵌合用舌片をなす上記基板の端縁に傾斜Ｌ字状の嵌合突片とを備えたものとする一方，留め接合する一対の枠材を，該嵌合突片の嵌合用舌片を受け入れ被嵌する長手方向全長にして装飾溝兼用の嵌合受溝を備えたものとして構成したものであって，即ち請求項１に記載の発明は，接合部材を用いた接合装置を提供するように，これを，基板及び該基板の前後又はその一方の端縁長手方向中間位置に該端縁から側方に向けてＬ字傾斜の翼板状に張出突出して上記基板の両側方に相互に直角をなすとともにその平行縁部を立上げて厚さを確保した嵌合用舌片を形成するように設置した傾斜Ｌ字状の嵌合突片を有する接合部材と，留め切り端部と該留め切り端部に開口して上記接合部材の嵌合用舌片の幅及び厚さに合せた長手方向全長に亘る装飾溝兼用の嵌合受溝を有する接合用一対の枠材と，該接合用一対の枠材同士を固定する固定金具とを備え，上記接合用一対の枠材の装飾溝兼用の嵌合受溝に上記接合部材における嵌合突片の各嵌合用舌片をそれぞれ嵌合するとともにこれら接合用一対の枠材における留め切り端部間に該接合部材の基板を傾斜介装し，該接合部材の設置状態で一方の枠材から上記基板を貫通して他方の枠材に至る固定金具によってこれら一対の枠材を固定して留め接合してなることを特徴とする枠材の留め接合装置とし，請求項２に記載の発明は，上記留め接合に必要な固定金具の固定を，接合部材を損傷することなく容易になし得て，留め接合の作業性を更に向上するように，これを，上記接合部材の基板が，その面内中間位置に上下方向に長孔とした固定金具貫通用の貫通孔を備えてなることを特徴とする請求項１に記載の枠材の留め接合部材とし，これらをそれぞれ発明の要旨として，上記課題解決の手段としたものである。
【０００６】
【発明の実施の形態】
以下図面の例に従って本発明を更に具体的に説明すれば，Ａは，ラチス（格子）１３を用いた，例えば木製，特にレッドシダー製のトレリスであり，該トレリスＡは，枠材として縦枠２と横枠３とを枠組みした外枠１と，該外枠１の内側に配置したラチス１３とを備えたものとしてあり，このとき上記縦枠２と横枠３の枠組みは，これを縦枠２と横枠３の各枠材の長手方向端部を，外枠１の４隅においてそれぞれ留め接合することによって行なったものとしてある。
【０００７】
外枠１の枠材たる縦枠２，横枠３の留め接合には，接合部材７を使用し，該接合部材７によって，留め接合する一対の枠材２，３の相対的位置関係を固定化し，該一対の枠材２，３を留め接合の直角突き当て状態に保持して，この保持の位置決め状態で固定金具１２による固定を行なうようにしたものとしてある。
【０００８】
即ち接合部材７は，基板８及び該基板８の前後又はその一方の端縁長手方向中間位置に該端縁から側方に向けてＬ字傾斜の翼板状に張出突出して上記基板８の両側方に相互に直角をなすとともにその平行縁部を立上げて厚さを確保した嵌合用舌片１０を形成するように設置した傾斜Ｌ字状の嵌合突片９を有するものとし，接合用一対の枠材，即ち本例にあって縦枠２と横枠３を，留め切り端部４と該留め切り端部４に開口して上記接合部材の嵌合用舌片の幅及び厚さに合せた長手方向全長に亘る装飾溝兼用の嵌合受溝５を有するものとし，また固定金具１２は，該接合用一対の縦枠２と横枠３同士を固定するものとしてあり，これらによる縦枠２と横枠３の留め接合は，上記接合用一対の縦枠２と横枠３の嵌合受溝５に上記接合部材７における嵌合突片９の各嵌合用舌片１０をそれぞれ嵌合するとともにこれら接合用一対の枠材の縦枠２と横枠３における留め切り端部４間に該接合部材７の基板８を傾斜介装し，該接合部材７の設置状態で一方の枠材の縦枠２又は横枠３から上記基板８を貫通して他方の横枠３又は縦枠２に至る固定金具１２によってこれら一対の縦枠２と横枠３とを固定して行なったものとしてある。
【０００９】
本例にあって接合部材７は，その基板８を，一対の枠材，即ち本例において断面形状を同一とした縦枠２及び横枠３による枠材の留め切り端面の外形形状に合わせてこれに一致する形状をなし，例えば厚さを１乃至２ｍｍ程度の薄肉のものとしてあり，また嵌合用舌片１０を両側に形成する嵌合突片９を，図５及び図６に示すように，基板８の前後一方，特に後方の背面側の端縁長手方向中間位置に，該端縁から図上においてそれぞれ１３５度の角度で下向きの側方に向けて，左右に対称にして上記基板の両側方に相互に直角をなす舌片１０を突出配置するように，図上において頂点を直角とし，下向き傾斜のＬ字状に張出突出した，例えば３乃至６ｍｍ程度の数ｍｍ厚さにして，１乃至５ｃｍ程度の数cm幅を有するＬ字傾斜の翼板状のものとした，例えば硬質合成樹脂又はアルミ鋳物の一体成形品によるものとしてあり，このとき本例の接合部材７は，上記基板８を厚さ１．４ｍｍの平板にし，嵌合突片９を，内側の肉盗みをするように，その舌片１０の平行縁部を立上げて厚さを確保するようにし，このとき肉厚を上記と同じくして，立上げによる厚さを約５ｍｍ，幅を約１．５ｃｍとしたものである。
【００１０】
更に本例の接合部材７は，その基板８が，その面内中間位置に上下方向に長孔とした固定金具貫通用の貫通孔１１を備えたものとしてあり，本例にあって貫通孔１１は前後中央位置にして，図上において上下方向やや下方に位置した，長円形の長孔としたものとしてある。
【００１１】
一対の枠材，本例にあって上記同一断面形状とした縦枠２，横枠３における上記嵌合受溝５は，それぞれその長手方向全長に亘って装飾用のアクセントをなす装飾溝によるものとし，その長手方向端部において，これを留め接合のための上記受溝に用いて，これら装飾と受溝との兼用をなすものとしてあり，本例の該嵌合受溝５は，その幅を，上記嵌合突片９の各舌片１０の幅に合わせた約１．５ｃｍとし，深さを同じく厚さに合わせた約５ｍｍとし，上記嵌合突片９，特にその舌片１０を被嵌して，これを密に受入嵌合するものとしてある。
【００１２】
本例の外枠１の形成は，上記接合部材７を介して一対の枠材の各縦枠２と横枠３同士を，固定金具１２，本例にあってネジによって固定することにより留め接合して行なうものとしてあり，即ち縦枠２と横枠３を，それぞれ４５度の角度に切断した留め切り端部４を突合せ状に配置するとともに，これらの嵌合受溝５に，上記接合部材７における嵌合突片９の各舌片１０を，前後方向押付け状に嵌合し，又は留め切り端部４側からスライド嵌合することによって，それぞれの嵌合する一方，同時にこれら留め切り端部４間に，その各端面に面接するように，基板８を留め切り端部４の角度に合わせて４５度に傾斜介装し，この設置によって一対の枠材の各縦枠２と横枠３の相互の相対的位置関係を固定的に保持し，この保持の位置決め状態で，一方の枠材の縦枠２又は横枠３から，上記貫通孔１１を介して基板８を貫通する他方の枠材の横枠３又は縦枠２に上記ネジを螺入して，該ネジによって，これらを固定して，その留め接合を行なったものとしてある。
【００１３】
図中６は，枠材の縦枠２及び横枠３の対向面に形成した仕切用のラチス１３保持用の受溝である。
【００１４】
本例の接合部材７は，基板８と嵌合突片９とを備えて構成してあるから，構造が単純にして簡単であるとともに使い勝手のよいものとなり，一方上記トレリスＡにおける枠材の各縦枠２と横枠３の留め接合は，この接合部材７を使用することにより，その嵌合突片９の舌片１０がこれら枠材の嵌合受溝５に嵌合して，これら枠材の相対的位置関係を固定化し，該枠材を留め接合すべき直角突き当て状態に保持して，この保持の位置決め状態で固定金具１２のネジによる固定を位置ズレなく簡易且つ確実に行なうものとし，このとき本例にあっては上記嵌合突片９の舌片１０と枠材２，３の嵌合受溝５とをほぼ合わせてあるから，嵌合が密の密嵌状になり，上記枠材の保持が，振れ等のない確実のものとなって，位置ズレのない固定を更に容易に行なうことができ，また接合部材７の基板８には，上記長孔とした貫通孔１１を設けてあるから，固定金具１２のネジの螺入をスムーズにし，該ネジが基板８を貫通するについて，先端が滑って，螺入が困難になったり，接合部材７による枠材２，３の保持と相反するように作用して，該保持に抗して枠材の位置ズレを招来したりすることなく，基板８の損傷なく，固定を容易に行なって，留め接合の作業性を向上することができる。
【００１５】
図示した例は以上のとおりとしたが，接合部材を，基板の前後の端縁長手方向中間位置にそれぞれ上記嵌合用舌片を形成する傾斜Ｌ字状の嵌合突片を備えたものとすること，嵌合突片を上記所定厚さの中実プレート状のものとすること，各舌片の長さを長くし，また舌片の長さを異長の嵌合突片とすること，基板に固定金具の貫通孔を設置するとき，固定金具の径に合わせた丸孔とすること，枠材を，例えばアルミ押出材による中空のものとし，このとき該中空部に固定金具の受孔，例えばタッピングホールを所定位置に設置して，例えばネジ（タッピングネジ）の使用を可能とすることによって同様の留め接合をなし得るようにすること，固定金具を必要に応じて釘によるものとすること等を含めて，本発明の実施に当たって，接合部材，その基板，嵌合突片，その舌片，枠材，嵌合受溝，固定金具の各具体的材質，形状，構造，これらの関係，これらに対する付加，枠材の用途等は，上記発明の要旨に反しない限り様々な形態のものとすることができる。
【００１６】
【発明の効果】
本発明は以上のとおりに構成したので，請求項１に記載の発明は，接合部材を使用し，該接合部材によって，留め接合する一対の枠材の相対的位置関係を固定化し，該一対の枠材を留め接合の直角突き当て状態に保持して，この保持の位置決め状態で固定金具による固定を位置ズレなく簡易且つ確実になし得るようにし，固定金具の固定を可能とすることにより，中実及び中空のいずれの枠材の接合にも使用でき，接合に際して位置ズレを生じることのない良好な仕口を作業性よく，簡易且つ確実に得ることができる枠材の留め接合装置を提供することができ，請求項２に記載の発明は，該留め接合装置に好適にして構造が簡単で使い勝手のよい接合部材を提供することができ，請求項３に記載の発明は，該接合部材を，留め接合に必要な固定金具の固定に際して，これを損傷することなく容易になし得て，留め接合の作業性を更に向上したものとすることができる。
【図面の簡単な説明】
【図１】  トレリスの背面図である。
【図２】  トレリスの留め接合部分の拡大背面図である。
【図３】  留め接合部分の縦断面図である。
【図４】  枠材と接合部材の関係を示す分解斜視図である。
【図５】  接合部材を直立した状態の正面図である。
【図６】  接合部材を直立した状態の側面図である。
【符号の説明】
Ａ  トレリス
２  縦枠
３  横枠
４  留め切り端部
５  嵌合受溝
７  接合部材
８  基板
９  嵌合突片
１０  舌片
１１  貫通孔
１２  固定金
【図１】
0003722999.tif 000002
【図２】
0003722999.tif 000003
【図３】
0003722999.tif 000004
【図４】
0003722999.tif 000005
【図５】
0003722999.tif 000006
【図６】
0003722999.tif 000007